(57)【要約】【課題】満充電となるまで充電を行なわない場合に、蓄電デバイスの充電不足を適切に検出して出力することができなかった。【解決手段】蓄電デバイス２３に対する充電と放電とが繰り返されるワイヤレス給電システム１０００に用いられるワイヤレス給電管理装置１であり、一以上の充電期間について、各充電期間に充電された電力の不足に関する情報を取得し、取得した情報を用いて蓄電デバイスの充電不足を検出する検出部２０２と、検出部２０２の検出結果に応じた出力を行なう出力部２０３とを備えるようにしたことにより、蓄電デバイスの充電不足を適切に検出することができる。【選択図】図１
2018148762.tif 000002
【特許請求の範囲】
【請求項１】
蓄電デバイスを備えており、当該蓄電デバイスに対する充電と放電とが繰り返されるワイヤレス給電システムに用いられるワイヤレス給電管理装置であって、
一以上の充電期間について、各充電期間に充電された電力の不足に関する情報を取得し、取得した情報を用いて前記蓄電デバイスの充電不足を検出する検出部と、
前記検出部の検出結果に応じた出力を行なう出力部とを備えたワイヤレス給電管理装置。
【請求項２】
充電期間と、その直前または直後の放電期間との組である一以上の充放電期間について、それぞれ、充電期間に蓄電デバイスにワイヤレス充電された電力を示す情報である充電情報と、前記蓄電デバイスから放電期間に放電された電力を示す情報である放電情報とを、取得する取得部を更に備え、
前記検出部は、前記取得部が前記一以上の充放電期間についてそれぞれ取得した充電情報と放電情報とを用いて、当該一以上の充放電期間の各充電期間に充電された電力の不足に関する情報を取得する請求項１記載のワイヤレス給電管理装置。
【請求項３】
前記充電情報は、充電期間に充電された電力である充電電力であり、前記放電情報は、放電期間に放電された電力である放電電力である請求項２記載のワイヤレス給電管理装置。
【請求項４】
一以上の充電期間について、それぞれ、前記蓄電デバイスに充電されている電力を示す情報である一以上の充電量情報を取得する充電量取得部を更に備え、
前記検出部は、前記充電量取得部が取得した一以上の充電量情報を用いて、前記一以上の充電期間にそれぞれ充電された電力の不足に関する情報を取得する請求項１記載のワイヤレス給電管理装置。
【請求項５】
前記検出部は、二以上の充放電期間について、それぞれ、放電期間に放電された電力が、充電期間に充電された電力よりも大きいか否かを判断して、その判断結果を示す情報を、前記充電期間に充電された電力の不足に関する情報として取得し、当該充電された電力の不足に関する情報を用いて、放電された電力が充電された電力よりも大きいことを示す充放電期間を検出し、放電された電力が充電された電力よりも小さいことを示す充放電期間が予め決められた閾値以上検出された場合に、前記蓄電デバイスの充電不足を検出する請求項２から請求項４いずれか一項記載のワイヤレス給電管理装置。
【請求項６】
前記検出部は、一以上の充放電期間について、それぞれ、充電期間に充電された電力と、放電期間に放電された電力との差を、各充電期間に充電された電力の不足に関する情報として取得し、各充放電期間について取得した当該電力の差を積算した値が、予め決められた閾値を超えた値となった場合に、前記蓄電デバイスの充電不足を検出する請求項２から請求項５いずれか一項記載のワイヤレス給電管理装置。
【請求項７】
前記ワイヤレス給電システムは、前記蓄電デバイスから電力供給を受ける給電対象であって、通常の動作モードと、電力消費を抑えた省エネモードとで動作する給電対象を備えており、
前記蓄電デバイスは、前記給電対象に対して電力の供給を行ない、
前記出力部は、前記検出部の検出結果に応じた出力として、省エネモードの動作指示を出力する請求項１から請求項６いずれか一項記載のワイヤレス給電管理装置。
【請求項８】
前記ワイヤレス給電システムは、電力をワイヤレス送信する送電装置を備えており、
前記出力部は、前記検出部の検出結果に応じた出力として、前記送電装置から充電期間に供給される電流を増加させる指示を出力する請求項１から請求項７いずれか一項記載のワイヤレス給電管理装置。
【発明の詳細な説明】
【技術分野】
【０００１】
本発明は、ワイヤレス給電を行なうワイヤレス給電システム等に関するものである。
【背景技術】
【０００２】
従来の技術として、受電側に二次電池の充電状態を検出する検出手段を設け、受電側からの満充電信号により充電を終了する非接触電力電送装置が知られていた。（例えば、特許文献１参照）。
【先行技術文献】
【特許文献】
【０００３】
【特許文献１】特開２０１０−１８３８１０号公報（第１頁、第１図等）
【発明の概要】
【発明が解決しようとする課題】
【０００４】
例えば、工場のラインなどで、蓄電デバイスを備えた装置等を用いて特定の一以上のタスクを繰り返し行なうような場合においては、特定の一以上のタスクを行なう毎に予め決められた時間だけワイヤレス給電システムにより給電を行なうことで、消費した分の電力や、次に使用する分の電力を蓄電デバイスに充電することができ、特定の一以上のタスクを連続的に繰返し行えるようにすることが可能となる。
【０００５】
しかし、ワイヤレス給電を行なう際、給電側の一次コイルと、受電側の二次コイルとの位置関係がずれると、給電できる電力や給電効率が変化するため、予め決められた時間だけ充電を行なっても、次に使用される電力や、直前に消費された電力が十分に充電できない場合があった。
【０００６】
また、特定のタスクにおいて蓄電デバイスを備えた装置等にかかる負荷がタスク毎に変化する場合、消費される電力がタスク毎に変化するため、予め決められた時間だけ充電を行なっても、次に使用される電力や、直前に消費された電力が十分に充電できない場合があった。
【０００７】
また、タスクを行なう時間や一回の充電期間の長さが変動する場合、予め決められた時間だけ充電を行なっても、次に使用される電力や、直前に消費された電力が十分に充電できない場合があった。
【０００８】
各充電期間において、このような蓄電デバイスに対する充電が不足する状況が続くと、次第に蓄電デバイスの充電された電量が減少し、必要な電力が供給できなくなり、最終的には、空になってしまう。この結果、タスクの途中で蓄電デバイスを備えた装置が停止したりしてしまう恐れがある。このため、各充電期間についてこのような充電不足を検出して、通知することが望まれていた。
【０００９】
しかしながら、上記のように、次に使用される電力や、直前の一以上のタスク等で消費された電力を補うように充電を行なう場合、必ずしも蓄電デバイスが満充電となるまで充電を行なう必要がないため、従来のように、充電状態が満充電であるか否かを判断するだけでは、各充電期間において、次に使用される電力や、直前のタスクによって消費された電力が蓄電デバイスに充電されたか否かを判断できず、蓄電デバイスの充電不足を適切に検出することができなかった。
【００１０】
本発明は、上記のような課題を解消するためになされたものであり、蓄電デバイスの充電不足を適切に検出して出力することができるワイヤレス給電管理装置を提供することを目的とする。
【課題を解決するための手段】
【００１１】
本発明のワイヤレス給電管理装置は、蓄電デバイスを備えており、蓄電デバイスに対する充電と放電とが繰り返されるワイヤレス給電システムに用いられるワイヤレス給電管理装置であって、一以上の充電期間について、各充電期間に充電された電力の不足に関する情報を取得し、取得した情報を用いて蓄電デバイスの充電不足を検出する検出部と、検出部の検出結果に応じた出力を行なう出力部とを備えたワイヤレス給電管理装置である。
【００１２】
かかる構成により、各充電期間に充電された電力の不足に関する情報を用いて、蓄電デバイスの充電不足を適切に検出して出力することができる。
【００１３】
また、本発明のワイヤレス給電管理装置は、前記ワイヤレス給電管理装置において、充電期間と、その直前または直後の放電期間との組である一以上の充放電期間について、それぞれ、充電期間に蓄電デバイスにワイヤレス充電された電力を示す情報である充電情報と、蓄電デバイスから放電期間に放電された電力を示す情報である放電情報とを、取得する取得部を更に備え、検出部は、取得部が一以上の充放電期間についてそれぞれ取得した充電情報と放電情報とを用いて、一以上の充放電期間の各充電期間に充電された電力の不足に関する情報を取得するワイヤレス給電管理装置である。
【００１４】
かかる構成により、一以上の充放電期間に充電された電力と放電された電力とを用いて、蓄電デバイスの充電不足を適切に検出して出力することができる。
【００１５】
また、本発明のワイヤレス給電管理装置は、前記ワイヤレス給電管理装置において、充電情報は、充電期間に充電された電力である充電電力であり、放電情報は、放電期間に放電された電力である放電電力であるワイヤレス給電管理装置である。
【００１６】
かかる構成により、充電電力と放電電力とを用いて、蓄電デバイスの充電不足を適切に検出して出力することができる。
【００１７】
また、本発明のワイヤレス給電管理装置は、前記ワイヤレス給電管理装置において、一以上の充電期間について、それぞれ、蓄電デバイスに充電されている電力を示す情報である一以上の充電量情報を取得する充電量取得部を更に備え、検出部は、充電量取得部が取得した一以上の充電量情報を用いて、一以上の充電期間にそれぞれ充電された電力の不足に関する情報を取得するワイヤレス給電管理装置である。
【００１８】
かかる構成により、充電量情報を用いて、容易に各充電期間の電力の不足に関する情報を取得でき、蓄電デバイスの充電不足を容易に検出することができる。
【００１９】
また、本発明のワイヤレス給電管理装置は、前記ワイヤレス給電管理装置において、検出部は、二以上の充放電期間について、それぞれ、放電期間に放電された電力が、充電期間に充電された電力よりも大きいか否かを判断して、その判断結果を示す情報を、充電期間に充電された電力の不足に関する情報として取得し、充電された電力の不足に関する情報を用いて、放電された電力が充電された電力よりも大きいことを示す充放電期間を検出し、放電された電力が充電された電力よりも小さいことを示す充放電期間が予め決められた閾値以上検出された場合に、蓄電デバイスの充電不足を検出するワイヤレス給電管理装置である。
【００２０】
かかる構成により、充電された電力が不足している充電期間の数によって、適切に蓄電デバイスの充電不足を検出することができる。
【００２１】
また、本発明のワイヤレス給電管理装置は、前記ワイヤレス給電管理装置において、検出部は、一以上の充放電期間について、それぞれ、充電期間に充電された電力と、放電期間に放電された電力との差を、各充電期間に充電された電力の不足に関する情報として取得し、各充放電期間について取得した電力の差を積算した値が、予め決められた閾値を超えた値となった場合に、蓄電デバイスの充電不足を検出するワイヤレス給電管理装置である。
【００２２】
かかる構成により、充電期間に充電された電力の不足分によって、蓄電デバイスの充電不足を適切に検出することができる。
【００２３】
また、本発明のワイヤレス給電管理装置は、前記ワイヤレス給電管理装置において、ワイヤレス給電システムは、蓄電デバイスから電力供給を受ける給電対象であって、通常の動作モードと、電力消費を抑えた省エネモードとで動作する給電対象を備えており、蓄電デバイスは、給電対象に対して電力の供給を行ない、出力部は、検出部の検出結果に応じた出力として、省エネモードの動作指示を出力するワイヤレス給電管理装置である。
【００２４】
かかる構成により、蓄電デバイスの充電不足に応じて、給電対象を省エネモードで動作させることができ、給電対象の放電量を抑え、充電量不足状態を改善できる。
【００２５】
また、本発明のワイヤレス給電管理装置は、前記ワイヤレス給電管理装置において、ワイヤレス給電システムは、電力をワイヤレス送信する送電装置を備えており、出力部は、検出部の検出結果に応じた出力として、送電装置から充電期間に供給される電流を増加させる指示を出力するワイヤレス給電管理装置である。
【００２６】
かかる構成により、蓄電デバイスの充電不足に応じて、送電装置から送電される電流を増加させて、充電期間に充電する電力を増加させることができ、給電対象の充電量不足状態を改善できる。
【発明の効果】
【００２７】
本発明によるワイヤレス給電管理装置等によれば、蓄電デバイスの充電不足を適切に検出して出力することができる。
【図面の簡単な説明】
【００２８】
【図１】本発明の実施の形態におけるワイヤレス給電管理装置を備えたワイヤレス給電システムのブロック図
【図２】同ワイヤレス給電管理装置の動作について説明するフローチャート
【図３】同ワイヤレス給電管理装置を備えたワイヤレス給電システムの模式図（図３（ａ））、および給電対象の一例の斜視図（図３（ｂ））
【図４】同ワイヤレス給電管理装置の充電管理表を示す図
【図５】同ワイヤレス給電管理装置の放電管理表を示す図
【図６】本発明の実施の形態の変形例におけるワイヤレス給電管理装置を備えたワイヤレス給電システムのブロック図
【発明を実施するための形態】
【００２９】
以下、ワイヤレス給電管理装置等の実施形態について図面を参照して説明する。なお、実施の形態において同じ符号を付した構成要素は同様の動作を行うので、再度の説明を省略する場合がある。
【００３０】
（実施の形態）
図１は、本実施の形態におけるワイヤレス給電システム１０００のブロック図である。
ワイヤレス給電システム１０００は、送電装置１、受電装置２および給電対象３を備える。ここでは、ワイヤレス給電システム１０００が１つの送電装置１を備えている場合を例に挙げて説明するが、本発明においては、送電装置１を複数備えていても良い。また、ここでは、ワイヤレス給電システム１０００が１つの受電装置２と１つの給電対象３とを備えている場合を例に挙げて説明するが、本発明においては、受電装置２および給電対象３を複数備えていても良い。複数の給電対象３は、全てが同じものであってもよく、少なくとも一部が異なるものであっても良い。
【００３１】
送電装置１は、送電ユニット１０、および送電コイルユニット１１を備える。
受電装置２は、ワイヤレス給電管理装置２０、受電コイルユニット２１、受電ユニット２２、および蓄電デバイス２３を備える。
ワイヤレス給電管理装置２０は、取得部２０１、検出部２０２、出力部２０３を備える。
【００３２】
ワイヤレス給電システム１０００は、ワイヤレス給電を行なうシステムである。ワイヤレス給電システム１０００は、ワイヤレス給電を行なうことによって、蓄電デバイス２３に対する充電と蓄電デバイス２３からの放電とが一または二回以上繰り返されるシステムである。ワイヤレス給電は、非接触電力伝送、ワイヤレス電力伝送等とも呼ばれる。ワイヤレス給電システム１０００のワイヤレス給電方式は、磁界共鳴結合方式であっても良く、電磁誘導方式であっても良く、他の方式であっても良く、その方式は問わない。
【００３３】
送電装置１は、ワイヤレス給電により電力を受電装置２に送電する装置である。受電装置２は、ワイヤレス給電により送電装置１から送電される電力を受電する装置である。
【００３４】
送電ユニット１０は、電源５０から供給される商用周波数（例えば、５０／６０Ｈｚ）等の所定の周波数の電流を高周波（例えば、８５ｋＨｚ等）の電流へ変換して、送電コイルユニット１１に供給する。送電ユニット１０は、例えば、インバータ（図示せず）等を搭載している。
【００３５】
送電コイルユニット１１は、コイル（図示せず）を備えており、送電ユニット１０から供給される高周波の電流を受けて、交流磁界を発生する。
【００３６】
受電装置２の受電コイルユニット２１は、コイル（図示せず）を備えており、送電コイルユニット１１が発生した磁界を受けて、高周波の交流電流を発生し、送電ユニット１０に供給する。
【００３７】
受電ユニット２２は、受電コイルユニット２１が供給する高周波電流を、整流、および平滑化して直流電流に変換する。そして、変換した直流電流を蓄電デバイス２３に充電する。受電ユニット２２は、例えば、整流平滑回路（図示せず）等を備えている。
【００３８】
蓄電デバイス２３は、電力の蓄電および放電が可能なデバイスであり、受電ユニット２２が変換した直流電流により充電される。蓄電デバイス２３は、例えば、ＥＤＬＣ（Electric double-layer capacitor：電気二重層コンデンサ）、およびリチウムイオンキャパシタ等のキャパシタであっても良く、鉛蓄電池、リチウムイオン電池等の、バッテリであっても良い。蓄電デバイス２３は、給電対象３に対して電力供給を行なう。
【００３９】
給電対象３は、蓄電デバイス２３から電力供給を受けて動作するデバイスである。給電対象３は、例えば、ＡＧＶ（automatic guided vehicle：無人搬送車）であってもよく、電動工具等であっても良く、給電対象３がどのような装置であるかは問わない。
【００４０】
通常、受電装置２は給電対象３に搭載される。受電装置２の給電対象３への搭載の仕方は問わない。受電装置２は、例えば、給電対象３に着脱可能となるよう取付けられていてもよい。
【００４１】
なお、本実施の形態においては、給電対象３がワイヤレス給電システム１０００の一部として含まれている場合について説明しているが、本発明においては、給電対象３は、ワイヤレス給電システム１０００に含まれず、ワイヤレス給電システム１０００の外部に設けられていると考えてもよい。
【００４２】
ワイヤレス給電管理装置２０は、例えば、ワイヤレス給電による蓄電デバイス２３の充電不足を適切に検出するための装置である。
【００４３】
取得部２０１は、充電期間と、その直前または直後の放電期間との一または二以上の組について、それぞれ、充電情報と放電情報とを取得する。一の充電期間は、例えば、ワイヤレス給電により送電装置１から給電される電力により、充電が行なわれる一の期間である。ここでの充電は、例えば、受電ユニット２２から蓄電デバイス２３への充電のための給電と考えてもよい。一の放電期間は、例えば、給電対象３に電力を供給することで、蓄電デバイス２３に蓄電された電力を放電する期間である。ここでの放電は、例えば、蓄電デバイス２３から給電対象３への給電と考えてもよい。充電期間と、この充電期間の直前または直後の放電期間との一の組を、以下、充放電期間と呼ぶ。
【００４４】
充電情報とは、一の充電期間に蓄電デバイス２３にワイヤレス給電によって充電された電力を示す情報である。充電情報は、例えば、一の充電期間の充電電力である。充電電力は、一の充電期間に充電された電力である。充電期間に充電された電力は、充電期間に充電された電力量と考えてもよい。また、蓄電デバイス２３に充電された電力は、蓄電デバイス２３に充電された電力量と考えてもよい。ここでの充電電力は、例えば、充電された電力の値である。
【００４５】
放電情報とは、例えば、一の放電期間に蓄電デバイス２３から放電された電力を示す情報である。放電情報は、例えば、一の放電期間の放電電力である。放電電力は、一の放電期間に放電された電力である。放電期間に放電された電力は、放電期間に放電された電力量と考えてもよい。ここでの放電電力は、例えば、放電された電力の値である。
【００４６】
一の充放電期間は、例えば、充電期間と放電期間との間や、充電期間内、あるいは放電期間内に、蓄電デバイス２３に対する充電も、蓄電デバイス２３からの放電も行なわれない期間を有していてもよい。二以上の充放電期間がそれぞれ有する放電期間が、それぞれが有する充電期間に対して直前の放電期間であるか、直後の放電期間であるかは、通常、一定である。ただし、異なっていても良い。
【００４７】
取得部２０１が充電情報と放電情報とをそれぞれ取得する二以上の充放電期間は、通常、経時的に連続した期間であり、例えば、充放電期間の、二以上の連続した繰返しである。ただし、取得部２０１が充電情報と放電情報とをそれぞれ取得する二以上の充放電期間は、経時的に連続していなくても良く、例えば、充電期間と放電期間との二以上の組の間に、取得部２０１が充電情報と放電情報との取得対象としない一以上の充放電期間等を隔てていても良い。また、ここでの経時的に連続しているということは、二以上の期間が時間的につながっていることであっても良く、二以上の期間が発生する順番が連続していることであっても良い。後者と考えた場合、取得部２０１が充電情報と放電情報とをそれぞれ取得する経時的に連続した二以上の充放電期間は、上述したような充電も放電も行なわない期間等を挟んでいても良い。
【００４８】
一の放電期間は、例えば、蓄電デバイス２３から供給される電力で動作する給電対象３が、一または二以上の動作を実行する動作期間である。この一または二以上の動作は、予め決められた一または二以上の動作であってもよく、任意の動作であっても良い。この動作は、いわゆるタスクと考えてもよい。また、放電期間は、予め決められた一連の作業や処理等を行なうサイクルにおける充電期間以外の期間であっても良く、予め決められたサイクルにおける給電対象３が蓄電デバイス２３から供給される電力の消費を行なわない期間を含んでいても良い。なお、放電期間と充電期間とは、少なくとも一部が重なっていても良く、例えば、充電期間が、放電期間内に含まれていても良い。充電期間が放電期間内に含まれている場合とは、例えば、給電対象３の動作中にワイヤレス給電によって充電が行なわれる場合である。放電期間内に充電期間が完全に含まれる場合等においては、一の放電期間の開始時をどのタイミングに設定しても良く、例えば、充電期間の開始時と同じ時点に設定してもよい。
【００４９】
一の充電期間の長さは、例えば、その直前または直後の放電期間内に蓄電デバイス２３から放電される電力と同じ電力を、蓄電デバイス２３にワイヤレス給電によって充電するために設定された時間であることが好ましい。この時間は、例えば、同じ電力を、蓄電デバイス２３にワイヤレス給電によって充電するために必要と考えられる理論値や、推定値である。この時間は、例えば、シミュレーションや、推定や、計算等により求められた時間である。なお、放電された電力と充電された電力との間に、予め決められた範囲内の値の差が生じる場合も、これらが同じ電力であると考えるようにしてもよい。予め決められた範囲内の値の差とは、例えば、誤差程度の値の差や、許容可能な値の差である。
【００５０】
充電期間の長さおよび放電期間の長さは、それぞれ、予め決められている長さであっても良く、動的に変更される長さであっても良い。例えば、一の放電期間の長さは、この放電期間に動作する給電対象３の動作状況（例えば、給電対象３の動作時間や、給電対象３にかかる負荷）等に応じて動的に決定される長さであっても良い。動的に決定される長さとは、動的に変動する長さと考えても良い。充電期間の長さは、例えば、その直前の給電対象３の稼働状況や給電対象等に応じて動的に決定されても良く、その直前の放電期間によって動的に決定されても良い。例えば、受電装置２は、上記のような充電期間や、放電期間の長さを決定する処理部（図示せず）等を有していても良い。
【００５１】
ただし、一の充電期間の長さは、時間によって設定されていなくてもよく、例えば、受電装置２が送電装置１からワイヤレス給電可能な位置に存在して、給電を受けている任意の長さの期間を充電期間と考えてもよい。また、ユーザから受け付けた指示に応じて充電期間を開始または終了しても良い。
【００５２】
取得部２０１は、一の放電期間についての放電情報をどのように取得してもよい。以下、取得部２０１が放電情報として放電電力を取得する処理について、（Ａ１）放電電力を測定により取得する場合、および（Ａ２）放電電力を推定する場合についてそれぞれ例を挙げて説明する。
【００５３】
（Ａ１）放電電力を測定により取得する場合
取得部２０１は、例えば、放電電力を測定により取得する。例えば、取得部２０１は、放電期間内に放電される電力量を測定することによって放電電力を取得してもよい。一の期間内の電力量を測定するための構成や処理については、いわゆる電力量計等において公知であるため、説明は省略する。また、取得部２０１は、例えば、放電期間内に放電される電力を測定し、測定した電力を積分することで、放電電力を取得してもよい。測定は、例えば、一の放電期間内に一回以上、好ましくは経時的に複数回行なわれる。ここでの電力の測定は、電力の瞬間値の測定と考えても良く、測定した電力は、測定時における電力の瞬間値と考えてもよい。電力を測定するための構成や処理については、いわゆる電力測定器等において公知であるため、説明は省略する。ここでの積分は、測定した電力を積算することや、測定した一または二以上の電力を用いて取得した測定間隔の電力量を積算すること等も含む概念である。かかることは以下の積分においても同様である。なお、一の期間内において経時的に測定した電力から、一の期間内の電力量を積分により取得する処理については公知技術であるため、ここでは説明を省略する。また、取得部２０１は、放電期間内の給電対象３に給電される電流および電圧を測定し、測定により得られた一以上の電流および電圧の測定値から放電期間内に放電される一以上の電力を算出し、これを積分することで放電電力を取得しても良い。ここでの電流および電圧の測定は、電流および電圧の瞬間値の測定と考えても良く、測定した電流および電圧は、測定時における電圧および電圧の瞬間値と考えてもよい。例えば、取得部２０１は、一の放電期間において、蓄電デバイス２３から給電対象３に対して給電される電流と電圧とを、経時的に複数回測定し、測定した電流と電圧とを用いて電力を算出し、一の放電期間について算出した複数の電力を積分して一の放電期間内に放電された電力の値である放電電力を取得する。電力は、例えば、測定された電流と電圧との積を算出することにより取得できる。ここでの経時的な複数回の測定は、予め決められた一定の時間間隔ごとに行なうようにすることが好ましいが、放電期間の開始時刻を基準とした予め決められた複数の相対的な時刻に行なうようにしてもよい。なお、上記で測定した電力や、電流及び電圧や、測定した電流および電圧から算出した測定時の電力等は、図示しない格納部等に適宜蓄積しても良い。また、上記の電力の積分は、通常、放電期間の終了時以降に行なわれる。
【００５４】
（Ａ２）放電電力を推定する場合
取得部２０１は、放電期間の電力を推定して放電電力を取得する。例えば、放電期間における単位時間当たりの放電電力が予め決められている場合、一の放電期間の長さと、予め決められた単位時間当たりの放電電力とを用いて、一の放電期間の放電電力を算出することで、放電電力を推定する。単位時間当たりの放電電力は、給電対象３の単位時間当たりの消費電力と考えてもよい。例えば、取得部２０１は、放電期間に含まれる単位時間数と、図示しない格納部等に格納されている単位時間当たりの放電電力との積を、推定した放電電力として取得する。ここでの既知の単位時間当たりの放電電力は、実験や過去の測定値等によって取得した単位時間当たりの放電電力や、放電期間の放電電力とから算出した単位時間当たりの放電電力（例えば、平均値等の、特定の統計処理を行なって得られた値等）であっても良く、シミュレーション等で算出した単位時間当たりの放電電力であっても良い。かかることは、後述する単位時間当たりの放電電力についても同様である。
【００５５】
また、取得部２０１は、給電対象３が行なう処理に応じた放電電力を、推定した放電電力として取得しても良い。処理に応じた放電電力とは、例えば、給電対象３が、ＡＧＶである場合、ＡＧＶにより運搬する運搬対象物の数に応じた放電電力であっても良く、運搬対象物の種類に応じた放電電力であってもよい。例えば、給電対象３等が有する処理部（図示せず）等が、給電対象３が行なう処理を示す情報（例えば、処理の識別子等）を取得して、ワイヤレス給電管理装置２０に出力し、取得部２０１が、受け付けた処理を示す情報に応じた放電電力を、推定した放電電力として格納部（図示せず）等から取得しても良い。また、取得部２０１が、受信した処理を示す情報に応じた単位時間当たりの放電電力を格納部（図示せず）等から取得し、この単位時間当たりの放電電力を用いて、上記のように、推定した放電電力を取得しても良い。
【００５６】
取得部２０１は、一の充電期間についての充電情報をどのように取得してもよい。以下、取得部２０１が充電情報として、充電電力を取得する処理について、（Ｂ１）充電電力を測定により取得する場合、および（Ｂ２）充電電力を推定する場合についてそれぞれ例を挙げて説明する。
【００５７】
（Ｂ１）充電電力を測定により取得する場合
取得部２０１は、例えば、充電電力を測定により取得する。例えば、取得部２０１は、充電期間内に受電ユニット２２により蓄電デバイス２３に充電される電力量を測定することによって充電電力を取得してもよく、充電期間内に充電される電力を測定し、測定された一または二以上の電力を積分することで、充電電力を取得してもよく、一の充電期間において、受電ユニット２２により蓄電デバイス２３に充電される電流および電圧を測定し、電力および電圧の一以上の測定値から充電期間内に充電される一以上の電力を算出し、これを積分することで充電電力を取得しても良い。なお、これらの処理については、放電電力を測定により取得する処理と同様であるため、ここでは説明は省略する。
【００５８】
（Ｂ２）充電電力を推定する場合
取得部２０１は、充電期間の電力を推定して充電電力を取得する。例えば、取得部２０１は、充電期間の長さにより充電電力を推定してもよい。例えば、充電期間における単位時間当たりに充電される充電電力が予め決められている場合、充電期間の長さと、予め決められた単位時間当たりの充電電力とを用いて、充電期間に充電される充電電力を算出することで、充電電力を推定する。また、取得部２０１は、例えば、一の充電期間に受電ユニット２２が蓄電デバイス２３に供給する電流が一定である場合、一の充電期間に受電ユニット２２から蓄電デバイス２３に印加される電圧を測定して、充電期間の充電電力を推定する。例えば、取得部２０１は、一の充電期間において、受電ユニット２２により蓄電デバイス２３に充電される電流と電圧とを、経時的に測定し、経時的に測定した各電圧と、充電期間に供給される電流の値とから、各測定時について電力を算出し、算出した複数の電力を積分して推定した充電電力を取得する。なお、これらの処理については、放電電力を推定する処理と同様であるため、ここでは説明は省略する。
【００５９】
取得部２０１は、例えば、一の放電期間についての放電情報を、一の放電期間の終了時以降に取得する。また、取得部２０１は、例えば、一の充電期間についての充電情報を、充電期間の終了時以降に取得する。
【００６０】
取得部２０１の充電電力および放電電力を測定するための構成は、例えば、ハードウェア（例えば、専用回路等）等で実現される。
【００６１】
検出部２０２は、一以上の充電期間について、各充電期間に充電された電力の不足に関する情報を取得し、取得した情報を用いて蓄電デバイス２３の充電不足を検出する。蓄電デバイス２３の充電不足とは、例えば、一以上の充放電期間による充電と放電との繰返しによって、蓄電デバイス２３に蓄電されている電力が減少している状態であってもよく、さらに電力が減少した場合に給電対象３を動作させるための電力の供給ができなくなる可能性がある状態であってもよい。
【００６２】
一の充電期間に充電された電力の不足とは、例えば、一の充電期間の直前または直後の放電期間に放電された電力に対して、一の充電期間に充電される電力が不足していることである。例えば、一の充電期間に充電された電力の不足とは、一の充電期間の直前または直後の放電期間に放電される電力の大きさが、一の充電期間に充電される電力の大きさよりも大きい状態を意味する。放電される電力の大きさが大きいということは、例えば、放電される電力から充電される電力を減算した値が正であることである。ただし、放電される電力の大きさが大きいということは、放電された電力の大きさが、誤差や、実用上問題ないと考えられる値等に基づいて予め決められた閾値以上充電された電力よりも大きいことと考えてもよい。
【００６３】
一の充電期間に充電された電力の不足に関する情報は、例えば、一の充電期間に充電された電力が不足しているか否かを示す情報である。一の充電期間に充電された電力の不足に関する情報とは、例えば、一の充電期間に充電された電力と、この直前または直後の放電期間に放電された電力との比較結果（例えば、電力の大きさの比較結果）を示す情報であっても良い。また、一の充電期間に充電された電力の不足に関する情報は、例えば、一の充電期間に充電された電力の不足分を示す情報であってもよい。例えば、一の充電期間に充電された電力の不足に関する情報は、一の充電期間に充電された電力と、この直前または直後の放電期間に放電された電力との差を示す情報であっても良い。なお、電力の差が負であることは、充電された電力が放電された電力に対して過剰であることを示すと考えてもよい。
【００６４】
なお、一の充電期間に充電された電力の不足は、一の充放電期間における蓄電デバイス２３に蓄電されている電力の減少と考えても良く、一の充電期間に充電された電力の不足に関する情報とは、一の充放電期間における蓄電デバイス２３に蓄電されている電力が減少しているか否かを示す情報であってもよく、電力の減少量を示す情報であっても良い。
【００６５】
検出部２０２は、一以上の充放電期間のそれぞれが有する充電期間に充電された電力の不足に関する情報を、例えば、取得部２０１が一以上の充放電期間についてそれぞれ取得した充電情報と放電情報とを用いて取得する。例えば、検出部２０２は、一の充放電期間について取得した充電情報である充電電力と放電情報である放電電力とを用いて、この一の充放電期間を構成する一の充電期間に充電された電力の不足に関する情報を取得する。
【００６６】
以下、検出部２０２が、二以上の充放電期間のそれぞれにおいて蓄電デバイス２３が放電した電力が、同じ充放電期間に蓄電デバイス２３に充電された電力よりも大きいか否かを判断した判断結果を示す情報を、充電期間に充電された電力の不足に関する情報として取得し、この電力の不足に関する情報を用いて、蓄電デバイス２３の充電不足を検出する場合の、検出部２０２の処理の一例について説明する。
【００６７】
検出部２０２は、例えば、一の充放電期間に蓄電デバイス２３が放電した電力である放電電力が、蓄電デバイス２３に充電された電力である充電電力よりも大きいか否かを判断し、その判断結果を示す情報を充電期間に充電された電力の不足に関する情報として取得する。放電電力が充電電力よりも大きいことを示す判断結果は、充電期間に充電された電力が同じ充放電期間の放電期間に放電された電力に対して不足していることを示す情報と考えてもよい。放電電力が充電電力よりも大きいか否かは、例えば、充電電力に対する放電電力の差（即ち、放電電力から充電電力を減算した値）が、予め決められた閾値よりも大きいか否かによって判断してもよく、閾値を用いず、単に値の大小で判断してもよい。この閾値を、ここでは、電力比較用閾値と呼ぶ。例えば、差が電力比較用閾値よりも大きい場合に、放電電力が充電した電力よりも大きいと判断してもよい。この電力比較用閾値は、０以上の値である。この電力比較用閾値は、例えば、誤差程度と考えられる値や、ワイヤレス給電システム１０００の運用上問題が生じないような値に設定される。運用上の問題とは、例えば、このまま充電と放電とを繰り返した場合に電力不足が生じる、という問題である。かかることはは、以下においても同様である。
【００６８】
そして、検出部２０２は、上記で二以上の充放電期間についてそれぞれ取得した放電電力が充電電力よりも大きいか否かを示す情報を用いて、蓄電デバイス２３の充電不足を検出する。例えば、検出部２０２は、取得した情報を用いて放電電力が充電電力よりも大きい充放電期間を検出し、放電電力が充電電力よりも大きいと判断された充放電期間が、予め決められた閾値以上検出された場合に、蓄電デバイス２３の充電不足を検出する。この閾値を、ここでは充電検出用閾値と呼ぶ。充電検出用閾値は、例えば、２以上の値である。充電検出用閾値は、例えば、一時的な変動等とは考えられないような充電不足や、運用上問題が生じる可能性があると判断される充電不足を検出可能な値に設定される。放電電力が充電電力よりも大きいことを示す充放電期間は、充電電力が不足している充放電期間と考えてもよい。なお、充電検出用閾値以上の数の充放電期間が検出されるまでは、検出部２０２は、蓄電デバイス２３の電力不足を検出しなくてよい。
【００６９】
なお、検出部２０２が、上記の二以上の充放電期間のそれぞれについて、蓄電デバイス２３が放電した電力が、蓄電デバイス２３に充電された電力よりも大きいか否かを判断して判断結果を示す情報を取得する処理は、通常は、充放電期間の出現順番に沿って行なわれる。また、検出部２０２による上記の蓄電デバイス２３の充電不足の検出は、放電電力が充電電力よりも大きい充放電期間が検出される毎に行なうことが好ましい。例えば、取得部２０１が、新たな充放電期間について、充電電力と放電電力とを取得した場合に、検出部２０２は、この充放電期間について、充電期間に充電された電力の不足に関する情報を取得し、この情報を用いて、この充電期間について放電電力が充電電力よりも大きいか否かを判断し、放電電力の方が大きい場合に、放電電力が充電電力よりも大きいと判断された充放電期間の数を１つ追加して、放電電力が充電電力よりも大きいと判断された充放電期間の数が、充電検出用閾値以上であるか否かを判断することで、蓄電デバイス２３の充電不足を検出する。なお、ここでの充放電期間についてのは、連続した充放電期間について行なわれることが好ましい。
【００７０】
なお、上記においては、検出部２０２の処理の一例として、充電期間に充電された電力の不足に関する情報として、蓄電デバイス２３に充電された電力よりも大きいか否かを判断した判断結果を示す情報を用いた場合について説明したが、以下においては、検出部２０２が、一の充放電期間の充電期間に充電された電力と、放電期間に放電された電力との差を、充電期間に充電された電力の不足に関する情報として用いて、蓄電デバイス２３の充電不足を検出する一例について説明する。
【００７１】
検出部２０２は、例えば、一以上の充放電期間について、それぞれ、充電期間に充電された電力と、放電期間に放電された電力との差を算出し、各充電期間に充電された電力の不足に関する情報として取得する。ここでの、充電期間に充電された電力と、放電期間に充電された電力との差は、例えば、放電期間に放電された電力から充電期間に充電された電力を減算した電力の値であり、放電期間に放電された電力のほうが大きい場合、つまり充電された電力が不足している場合は、値が正となる。
【００７２】
そして、検出部２０２は、一以上の充放電期間のそれぞれについて取得した充電期間に充電された電力と、放電期間に充電された電力との差を積算し、積算した値が、予め決められた閾値を超えた値となった場合に、蓄電デバイス２３の充電不足を検出する。ここでは、この閾値を積算閾値と呼ぶ。積算閾値は、誤差とは考えられない充電不足や、運用上問題が生じると判断される充電不足を検出するために設定される閾値である。充電期間に充電された電力と、放電期間に放電された電力との差が、放電期間に放電された電力から充電期間に充電された電力を減算した電力の値である場合、積算閾値は０以上の値に設定され、積算閾値を超えるということは、積算閾値よりも大きい値となることである。なお、充電期間に充電された電力と、放電期間に充電された電力との差が、充電期間に充電された電力から放電期間に放電された電力を減算した電力の値である場合、積算閾値は０以下の値に設定され、積算閾値を超えるということは、積算閾値よりも小さい値となることである。なお、検出部２０２は、放電電力が充電電力よりも高い充放電期間の放電電力と充電電力の差だけを、積算してもよく、放電電力が充電電力よりも高いか否かに関わらず（例えば、高いか否か等の判断を行なうことなく）充放電期間の放電電力と充電電力の差を積算してもよい。
【００７３】
この例における検出部２０２による放電電力と充電電力との差の取得、は、上記と同様に、二以上の充放電期間の出現順番に沿って行なわれることが好ましい。なお、最初の一の充放電期間について取得した放電電力と充電電力との差は、放電電力と充電電力との差の積算値と考えてよい。また、上述した放電電力と充電電力との差の積算、および積算閾値を用いた蓄電デバイスの充電不足の検出は、検出部２０２が、一の充放電期間について放電電力と充電電力との差を取得する毎に行なうことが好ましい。
【００７４】
検出部２０２が、充電期間に充電された電力の不足に関する情報を取得する処理および蓄電デバイス２３の充電不足を検出する処理を行なうタイミングやトリガー等は問わない。また、取得部２０１は、検出部２０２がこのような処理を行なうまでに、処理に用いられる一以上の充放電期間についての充電情報と放電情報とを取得するようにすればよい。充放電期間についての充電情報および放電情報は、充放電期間を構成する充電期間および放電期間の充電情報および給電情報である。例えば、取得部２０１が、一の充放電期間の終了時以降に、この充放電期間について充電情報と放電情報とを取得し、この取得部２０１が取得した充電情報と放電情報とを用いて、検出部２０２が、充電期間に充電された電力の不足に関する情報を取得する処理および蓄電デバイス２３の充電不足を検出する処理を行なう。例えば、取得部２０１は、一の充放電期間の終了時または直後に、この充放電期間について充電情報と放電情報とを取得し、その直後に、検出部２０２が、充電期間に充電された電力の不足に関する情報を取得する処理等を行なうことが好ましい。
【００７５】
なお、本実施の形態においては、上述した取得部２０１が、放電期間と、その直前の充電期間とで構成される充放電期間について充電情報と放電情報とを取得するようにし、検出部２０２が、直前の充電期間に充電された電力の不足に関する情報を取得する処理および蓄電デバイス２３の充電不足を検出する処理を、取得部２０１が充電情報を取得した充電期間の次の充電期間の開始時までに行なうことが好ましい。例えば、取得部２０１が、一の充電期間の開始時までにその直前の放電期間と充電期間とについてそれぞれ放電情報と充電情報とを取得するようにし、検出部２０２が、取得部２０１が取得した放電情報と充電情報とを用いて、この一の充電期間の開始時までに、直前の充電期間に充電された電力の不足に関する情報を取得する処理および取得した情報を用いて蓄電デバイス２３の充電不足を検出する処理を行なうようにする。なお、処理を十分に高速に行なうことが可能である場合、検出部２０２は、一の充電期間の開始時に、直前の充電期間に充電された電力の不足に関する情報を取得する処理および取得した情報を用いて蓄電デバイス２３の充電不足を検出する処理を行なうようにしてもよい。このようにすることで、一の充電期間の開始までに、充電の不足を検出することとなり、例えば、検出結果に応じて、一の充電期間に充電する電力を増加させる指示等を送電装置１に出力することで、一の充電期間の充電により、充電不足の解消を図ることができる。また、蓄電デバイス２３の交換の指示を出力することで、直後の無駄な充電を防ぐことができる。
【００７６】
なお、一の充電期間の終了時から、次の放電期間の開始時までの間に、充電も放電も行なわれない期間を有する場合、この期間内に、一の充電期間の充電情報を取得することは、一の充電期間の終了時に充電情報を取得することと考えてもよい。また、この場合は、一の放電期間の開始時に、直前の充電期間の充電情報を取得することと考えてもよい。かかることは、放電期間の終了時から、次の充電期間の開始時までの間に、充電も放電も行なわれない期間を有する場合において、放電期間の終了時に放電情報を取得する場合や、充電期間の開始時に、直前の放電期間の放電情報を取得する場合等についても同様である。
【００７７】
なお、検出部２０２は、上記で例に挙げた情報以外の、一以上の充電期間に充電された電力の不足に関する情報を用いて、蓄電デバイス２３の充電不足を検出しても良い。また、検出部２０２は、上記で例に挙げた処理以外の処理により、一以上の充放電期間についてそれぞれ取得された充電期間に充電された電力の不足に関する情報を用いて蓄電デバイス２３の充電不足を検出しても良い。
【００７８】
出力部２０３は、検出部２０２の検出結果に応じた出力を行なう。出力部２０３は、例えば、検出部２０２による充電不足の検出結果に応じた出力を行なう。ここでの出力とは、モニタ等の表示デバイスへの表示、ランプ等の点灯、プロジェクタを用いた投影、プリンタへの印字、音出力、ワイヤレス給電システム１０００内の一以上の装置や、ワイヤレス給電システム１０００の外部の装置への情報等の送信、記録媒体への情報等の蓄積、他の処理装置や他のプログラムなどへの処理結果の引渡しなどを含む概念である。出力部２０３は、出力に必要な出力用デバイス（図示せず）等を備えていても良く、出力用デバイスは、出力部２０３の外部に設けられていても良い。
【００７９】
例えば、出力部２０３は、検出部２０２の検出結果に応じた出力として警告を出力する。例えば、出力部２０３は、検出部２０２の検出結果が充電不足を示す場合に、検出部２０２の検出結果に応じた出力として警告を出力する。警告の出力とは、例えば、ワイヤレス給電システム１０００が有する装置（具体的には、送電装置１、受電装置２および給電対象３）の少なくとも一以上が有する図示しない警告用のランプ（図示せず）の点灯や、ワイヤレス給電システム１０００が有する装置の少なくとも一以上が有するディスプレイ（図示せず）への警告用の画像やメッセージの出力、ワイヤレス給電システム１０００が有する装置の少なくとも一以上が有するスピーカ（図示せず）等からの警告音や、警告用のメッセージ音声の出力である。
【００８０】
また、ここでの警告の出力は、ワイヤレス給電システム１０００が設置されている場所（例えば工場内等）に設置されている警告用ランプやディスプレイやスピーカ（図示せず）等を用いた上記と同様の出力であってもよい。この場合の出力部２０３による警告の出力は、警告を出力するための指示の、無線ＬＡＮや、近距離無線通信等の無線通信技術を用いた送信によって行なうことができる。
【００８１】
また、ここでの警告の出力は、ワイヤレス給電システム１０００等を集中管理するサーバ装置（図示せず）や、ワイヤレス給電システム１０００の管理者等が利用するコンピュータ等への警告を示す情報や、警告のショートメッセージやメール等の送信であってもよい。これらの情報や、メッセージやメール等の送信は、上記と同様に、無線通信技術を用いて行なうことができる。
【００８２】
また、出力部２０３が出力する警告は、蓄電デバイス２３の交換指示であっても良い。例えば、上述した警告のランプが、蓄電デバイス２３の交換を指示するランプであり、警告の出力は、このランプの点灯であってもよい。また、警告の出力は、蓄電デバイス２３の交換を指示するメッセージのモニタ等への表示であっても良い。また、出力部が出力する警告音等は、蓄電デバイス２３の交換を指示する音であってもよい。また、警告の出力は、蓄電デバイス２３の交換を指示するショートメッセージやメール等であっても良い。なお、交換指示は、交換時期であることを通知する情報等も含む概念である。
【００８３】
なお、出力部２０３が出力する警告は、充電不足が検出された蓄電デバイス２３を備えた受電装置２の識別子や、この受電装置２が搭載された給電対象３の識別子等を有していても良い。
【００８４】
出力部２０３は、どのようなタイミングで警告の出力を行なっても良い。例えば、検出部２０２が、蓄電デバイス２３の充電不足を検出した時点で、警告の出力を行なっても良く、予め決められたタイミングで警告を行なうようにしてもよい。予め決められたタイミングとは、例えば、警告を、ワイヤレス給電システム１０００を利用するユーザ等に通知可能なタイミングである。例えば、出力部２０３は、検出部２０２が蓄電デバイス２３の充電不足を検出した後（好ましくは直後）の充電期間に、警告を出力してもよい。例えば、給電対象３の移動先等が一定していない場合、この給電対象３に搭載される受電装置２の移動先等も一定しないこととなるが、移動先等が異なっても受電装置２は充電の際に送電装置１の送電コイルユニット１１の近くに戻ることとなるため、受電装置２の管理を行なうユーザは、充電期間の近傍には、送電コイルユニット１１の近くに配備されることが考えられる。このため、充電期間に警告を出力することで、ユーザに充電不足に対する警告を通知することができる。このようなタイミングでの警告の出力は、警告が受電装置２や給電対象３から出力される場合（例えば、警告の出力が、受電装置２は給電対象３が有するランプ等の点灯である場合）には特に好ましい。
【００８５】
給電対象３が、通常モードと、電力消費を抑えた省エネモードとで動作するものであり、通常は通常モードで動作するものである場合、出力部２０３は、検出部２０２の検出結果（好ましくは、充電不足の検出結果）に応じた出力として、給電対象３に対する省エネモードの動作指示を、給電対象３や、給電対象３を制御するサーバ装置（図示せず）等に出力しても良い。省エネモードとは、電力消費を抑えて動作するモードであり、省エネルギーモードと考えてもよい。例えば、省エネモードを備えたＡＧＶ等においては、急発進や、急加速等を抑えることで、一のタスクを行なう時間は長くなるが、電力消費を抑えることが可能であるため、給電対象３がこのようなＡＧＶ等である場合においては、充電不足の際に省エネモードで動作する指示を出力することで、蓄電デバイス２３からの電力の供給を抑えて、充電不足を緩和したり、蓄電デバイス２３の交換まで、蓄電デバイス２３から供給する電力による給電対象３の動作を可能とすることができる。
【００８６】
また、出力部２０３は、検出部２０２の検出結果（好ましくは、充電不足の検出結果）に応じた出力として、送電装置１から充電期間にワイヤレス給電により供給される電流を増加させる指示を含んでいてもよい。例えば、出力部２０３は、このような指示を、送電装置１や、送電装置１を制御するサーバ装置（図示せず）等に送信してもよい。送電装置１は、例えば、このような指示に応じて給電する電流を増加させる。送電装置１は、例えば、予め決められた値だけ給電する電流を増加させる。ただし、増加後の電流の値は、給電対象の種類等に応じて動的に決定されても良い。このような指示により、ワイヤレス給電時の電流を増加させることで、充電期間に単位時間に充電する電力を増やして、充電不足を緩和したり、蓄電デバイス２３の交換まで、蓄電デバイス２３から供給する電力による給電対象３の動作を可能とすることができる。
【００８７】
なお、出力部２０３は、上記の出力のうちの二以上の出力を、検出結果に応じて出力するようにしても良い。また、出力部２０３は、検出部２０２の検出結果に応じて上記以外の出力を行なっても良い。
【００８８】
次に、ワイヤレス給電管理装置２０の動作の一例について図２のフローチャートを用いて説明する。なお、ここでは、一の充放電期間が、充電期間と、その直後の放電期間とより構成され、検出部２０２による蓄電デバイス２３の充電不足を検出する処理等が、各充放電期間の終了後、次の充放電期間が開始されるまでに行なわれる場合を例に挙げて説明する。
【００８９】
（ステップＳ１０１）検出部２０２は、カウンタｋの値を０にセットする。
【００９０】
（ステップＳ１０２）取得部２０１は、充電が開始されるか否かを判断する。充電が開示されると判断した場合、ステップＳ１０３に進み、開始されないと判断した場合、ステップＳ１０２に戻る。
【００９１】
（ステップＳ１０３）取得部２０１は、充電開始から、または直前に充電のために出力される電流および電圧を測定してから、予め決められた時間が経過したか否かを判断する。経過した場合、ステップＳ１０４に進み、経過していない場合、ステップＳ１０５に進む。
【００９２】
（ステップＳ１０４）取得部２０１は、充電時に受電ユニット２２から蓄電デバイス２３に出力される電流と電圧とを測定する。測定した測定値は、図示しない格納部等に測定順番と対応付けて蓄積する。
【００９３】
（ステップＳ１０５）取得部２０１は、充電が終了であるか否かを判断する。充電が終了である場合、ステップＳ１０６に進み、充電が終了でない場合、ステップＳ１０３に戻る。なお、ステップＳ１０２で充電開始が判断されてから、ステップＳ１０５で充電終了が判断されてまでの期間がここでは充電期間である。
【００９４】
（ステップＳ１０６）取得部２０１は、放電が開始されるか否かを判断する。放電が開始されると判断した場合、ステップＳ１０７に進み、開始されないと判断した場合、ステップＳ１０６に戻る。
【００９５】
（ステップＳ１０７）取得部２０１は、放電開始から、または直前に放電のために出力される電流及び電圧を測定してから、予め決められた時間が経過したか否かを判断する。経過した場合、ステップＳ１０８に進み、経過していない場合、ステップＳ１０９に進む。
【００９６】
（ステップＳ１０８）取得部２０１は、放電時に蓄電デバイス２３から給電対象３に出力される電流と電圧とを測定する。測定した測定値は、図示しない格納部等に測定順番と対応付けて蓄積する。
【００９７】
（ステップＳ１０９）取得部２０１は、放電が終了であるか否かを判断する。放電が終了である場合、ステップＳ１１０に進み、放電が終了でない場合、ステップＳ１０７に戻る。なお、ステップＳ１０６で放電開始が判断されてから、ステップＳ１０９で放電終了が判断されてまでの期間がここでは放電期間である。
【００９８】
（ステップＳ１１０）取得部２０１は、直前の充電期間において測定した電流及び電圧の値を用いて充電情報を取得する。ここでは、一例として、取得部２０１は、図示しない格納部から、直前の充電期間において予め決められた時間毎に測定された電流と電圧とを読み出して積を求めることで、予め決められた時間毎に充電された電力の値を取得し、取得した電力の値を積分して、充電期間に充電された充電電力を、充電情報として取得する。
【００９９】
（ステップＳ１１１）取得部２０１は、直前の放電期間において測定した電流及び電圧の値を用いて放電情報を取得する。ここでは、一例として、取得部２０１は、図示しない格納部から、直前の放電期間において予め決められた時間毎に測定された電流と電圧とを読み出して積を求めることで、予め決められた時間毎に放電された電力の値を取得し、取得した電力の値を積分して、放電期間に放電された放電電力を、放電情報として取得する。
【０１００】
（ステップＳ１１２）検出部２０２は、ステップＳ１１１で取得した放電情報が示す電力が、ステップＳ１１９で取得した充電情報が示す電力よりも大きいか否かを判断して、判断結果を示す情報を、充電期間に充電された電力の不足の関する情報として取得する。例えば、検出部２０２は、ステップＳ１１１で取得した放電情報である放電電力から、ステップＳ１１０で取得した充電情報である充電電力を減算して得られた電力の値が、予め決められた電力比較用閾値より大きいか否かを判断し、大きければ、放電情報が示す電力が大きいと判断し、大きくなければ、放電情報が示す電力が大きくないと判断して、それぞれの判断結果を示す情報を取得する。
【０１０１】
（ステップＳ１１３）検出部２０２は、ステップＳ１１２で取得した充電期間に充電された電力の不足の関する情報が、放電期間に放電された電力が、充電期間に充電された電力よりも大きいことを示す情報であるか否かを判断し、大きいことを示す情報であれば、ステップＳ１１４に進み、大きいことを示さない場合は、ステップＳ１０２に戻る。なお、ステップＳ１０２に戻る際には、直前の充電期間および放電期間に測定された測定情報は、図示しない格納部から削除しても良い。かかることは、後述するステップＳ１１５についても同様である。
【０１０２】
（ステップＳ１１４）検出部２０２は、カウンタｋの値を１インクリメントする。
【０１０３】
（ステップＳ１１５）検出部２０２は、カウンタｋの値が、閾値以上であるか否かを判断する。この閾値は、上述した充電検出用閾値である。閾値以上であれば、蓄電デバイス２３の充電不足を検出したこととなり、ステップＳ１１６に進み、閾値以上でなければ、ステップＳ１０２に戻る。
【０１０４】
（ステップＳ１１６）出力部２０３は、充電不足の検出結果に応じた出力を行なう。例えば、出力部２０３は、バッテリ交換指示等の警告、省エネモードの動作指示、および充電期間に供給される電流を増加させる指示のうちの一以上を出力する。そして、処理を終了する。なお、この出力は、予め決められたタイミングで行なわれてても良い。
【０１０５】
（具体例）
以下、本実施の形態におけるワイヤレス給電システム１０００の具体的な動作について例を挙げて説明する。
【０１０６】
図３は、本具体例におけるワイヤレス給電システムの模式図（図３（ａ））、および給電対象の一例の斜視図（図３（ｂ））である。
【０１０７】
ここでは、ワイヤレス給電システム１０００が工場等において用いられる自動搬送システムに用いられるワイヤレス給電システムであり、ワイヤレス給電システム１０００が有する給電対象３が、ＡＧＶであり、受電装置２が、この給電対象３に搭載されている場合を例に挙げて説明する。ここでは、説明の便宜上、給電対象３をＡＧＶ３と呼ぶ場合がある。また、ここでは、ＡＧＶ３が１つである場合について説明するが複数であっても良い。なお、ここでは、給電対象３であるＡＧＶは、ワイヤレス給電システム１０００に含まれている場合について説明するが、給電対象３であるＡＧＶは、ワイヤレス給電システム１０００に含まれていないと考えてもよい。また、給電対象３は、ＡＧＶでなくてもよく、他の自走式の装置等であっても良く、電動工具等であっても良い。なお、ＡＧＶを備えたワイヤレス給電システム１０００の構成や動作等の詳細については、公知技術であるため、説明を省略する。
【０１０８】
ここでは、ＡＧＶ３は、予め決められた一連の作業等を行なうサイクルに従って移動し、予め決められた一以上のタスクと、充電とを繰り返すものとする。ここでは、一のサイクルにおける一以上のタスクを行なう期間を、放電期間と考える。一のサイクルにおける放電期間の長さと、充電期間の長さとは、予め決められているものとする。また、充電期間の長さは、一のサイクル内の一以上のタスクを行なうことによって放電されると想定される電力、つまり、放電期間内に放電されると想定される蓄電デバイス２３の電力と同じ電力を、ワイヤレス給電によって充電するために必要な長さに予め設定されているものとする。
【０１０９】
ＡＧＶ３は、図示しない制御部等により制御されて自動的に移動することによって予め決められたタスク等を行なう。そして、充電期間の直前までに、送電装置１の送電コイルユニット１１から給電される電力を受信可能となる位置まで移動し停止する。停止すると、給電が開始され、充電が行なわれる。そして、給電開始後、上記と同様に、タスクの実行と充電とが繰り返される。
【０１１０】
例えば、一の充電期間が開始したとすると、受電装置２が有するワイヤレス給電管理装置２０の取得部２０１は、受電ユニット２２から蓄電デバイス２３に充電される電流および電圧を、充電開始から予め決められた時間が経過する毎に測定し、測定した値を、図示しない時計から取得した時刻と対応付けて、図示しない格納部に蓄積する。測定及び蓄積は、一の充電期間が完了するまで行なわれる。
【０１１１】
図４は、取得部２０１が一の充電期間に取得して蓄積した蓄電デバイス２３に充電された電流および電圧を管理する充電管理表である。充電管理表は、「時刻」、「電流」、「電圧」という属性を有している。「時刻」は測定時刻を示し、「電流」は測定された電流の値を示し、「電圧」は測定された電圧の値を示す。ここでは、各レコード（行）が、一の時刻に測定された情報であるとする。なお、ここでは、充電管理表の属性値であるｔ１，ｘ１，ｙ１等は任意の値を示すものとする。かかることは、後述する放電管理表の属性値においても同様である。
【０１１２】
上記の一の充電期間の直後に放電期間が始まると、取得部２０１は、蓄電デバイス２３から給電対象に給電される電流および電圧、即ち蓄電デバイス２３から放電される電流および電圧を、放電開始から予め決められた時間が経過する毎に測定し、測定した値を、図示しない時計から取得した時刻と対応付けて、図示しない格納部に蓄積する。測定および蓄積は、予め決められた放電期間が完了するまで行なわれる。
【０１１３】
図５は、取得部２０１が、図４に示した充電管理表を取得した一の充電期間の直後の放電期間に取得して蓄積した蓄電デバイス２３から放電された電流および電圧を管理する放電管理表である。放電管理表は、「電流」が放電された電流の測定値を示し、「電圧」が放電された電圧の測定値を示す点を除けば、図４の充電管理表と同様である。
【０１１４】
次に、上記の放電期間の終了すると、取得部２０１は、図示しない格納部に格納されている図４に示す充電管理表の情報を用いて、上記の一の充電期間についての充電情報である充電電力を取得する。また、取得部２０１は、図５に示す放電管理表の情報を用いて、上記の一の充電期間の直後の放電期間についての放電情報である放電電力を取得する。
【０１１５】
具体的には、取得部２０１は、図４に示した充電管理表の各レコードの「電流」と「電圧」との属性値を用いて、各測定時に充電された電力を算出する。例えば、各レコードの「電流」と「電圧」との属性値の積を算出して、各測定時に充電された電力を算出する。そして、算出した電力を積分して、上記の一の充電期間についての充電電力を取得する。同様に、取得部２０１は、図５に示した放電管理表の各レコードの「電流」と「電圧」との属性値を用いて、各測定時に放電された電力を算出し、算出した電力を積分して、上記の一の充電期間の直後の放電期間の放電電力を取得する。
【０１１６】
検出部２０２は、取得部２０１が取得した充電電力と、放電電力とを用いて、上記の一の充電期間に充電された電力の不足に関する情報を取得する。具体的には、検出部２０２は、取得部２０１が、一の充電期間の直後の放電期間について取得した放電電力の値が、この放電期間の直前の一の充電期間について取得した充電電力の値よりも大きいか否かを判断し、この判断結果を示す情報を、一の充電期間に充電された電力の不足に関する情報として取得する。この不足に関する情報は、一の充電期間に充電された電力の、直後の放電期間に放電された電力に対する不足に関する情報とし考えてもよい。
【０１１７】
検出部２０２は、上記で取得した判断結果を示す情報が、一の充電期間の直後の放電期間に放電された電力の方が一の充電期間に充電された電力よりも大きいことを示す情報である場合、充電された電力が不足している充電期間数のカウント値を１インクリメントする。この充電期間数のカウント値は、充電期間を含む充放電期間のカウント数と考えてもよい。ここでの放電期間に放電された電力の方が充電期間に充電された電力よりも大きいということは、これから開始される充電期間の直前の充電期間に充電された電力が、その直後の放電期間に放電された電力に対して不足していることを示すと考えてもよい。取得した判断結果を示す情報が、放電期間に放電された電力の方が充電期間に充電された電力よりも大きいことを示す情報でない場合、カウント値を変更しない。
【０１１８】
検出部２０２は、カウント値がインクリメントされた場合、インクリメント後のカウント値が、予め決められた充電検出用閾値以上であるか否かを判断する。ここでは、閾値以上でなかったとすると、検出部２０２は、蓄電デバイス２３の充電不足を検出しない。上記の充電管理表と放電管理表とに格納されている値は削除する。
【０１１９】
その後、上記と同様に、充電と放電との処理が繰り返され、上記と同様に、検出部２０２により、充電期間に充電された電力の不足に関する情報の取得が行なわれ、取得した情報が放電期間に放電された電力が、充電期間に充電された電力よりも大きいことを示す場合に、充電された電力が不足している充電期間数のカウント値が１インクリメントされる。
【０１２０】
そして、ある放電期間が終了した際に検出部２０２が取得した、充電された電力の不足に関する情報が、この放電期間に放電された電力が直前の充電期間に充電された電力よりも大きいことを示す情報であり、これにより、検出部２０２が、充電不足と検出された充電期間の数のカウント値を１インクリメントした結果、カウント値が充電検出用閾値以上となったとすると、検出部２０２は、蓄電デバイス２３が充電不足であることを検出する。
【０１２１】
出力部２０３は、検出部２０２が、蓄電デバイス２３が充電不足であることを検出したため、この検出結果に応じた出力として、ここでは、図３（ｂ）に示すように、ＡＧＶ３に設けられた充電不足であることを示すランプ２０３１を点灯させる。これにより、ＡＧＶ３の管理者等に、充電不足が発生していることを通知することができる。
【０１２２】
以上、本実施の形態によれば、一以上の充電期間について、各充電期間内に充電された電力の不足分を示す情報を取得し、取得した情報を用いて蓄電デバイスの充電不足を検出し、検出結果に応じた出力を行なうようにしたことにより、蓄電デバイスの充電不足を適切に検出して出力することができる。例えば、各充電期間において蓄電デバイスが満充電となるまで充電を行なわない場合であっても、適切に充電不足を検出して出力することができる。
【０１２３】
（変形例）
なお、上記実施の形態においては、充電情報を、取得部２０１が蓄電デバイス２３に充電される電力や電流および電圧等を測定することによって取得し、放電情報を、取得部２０１が蓄電デバイス２３から給電対象３に給電される電力や電流および電圧等を測定することによって取得する例について説明したが、本発明においては、図６に示すように、ワイヤレス給電管理装置２０が、取得部２０１の代わりに、一以上の充電量情報を取得する充電量取得部２４を備えるようにし、検出部２０２が、この充電量情報を用いて上記実施の形態と同様に、各充電期間内に充電された電力の不足に関する情報を取得するようにしてもよい。なお、充電量取得部２０４と取得部２０１とを併用しても良い。
【０１２４】
充電量取得部２０４は、一以上の充電期間について、それぞれ、蓄電デバイス２３に充電されている電力を示す情報である一または二以上の充電量情報を取得する。充電量情報は、蓄電デバイス２３に充電されている電力を示す情報であり、例えば、充電されている電力の値である。充電量情報は、蓄電デバイス２３に蓄電されている電力の残量と考えてもよい。充電量情報は、蓄電デバイス２３充電量情報は、例えば、蓄電デバイス２３の出力電圧を測定することにより取得することができる。なお、充電量情報として、蓄電デバイス２３の出力電圧の値等を用いても良い。また、充電量情報として、蓄電されている電力の残量等をパーセント等の比率で表したものであってもよい。充電量情報を取得する処理については、公知技術であるため、ここでは詳細な説明は省略する。
【０１２５】
充電量取得部２０４が充電量情報を取得するタイミング等は問わない。充電量取得部２０４が一の充電期間について取得する充電量情報の一以上は、必ずしも、一の充電期間内に取得した充電量情報でなくても良い。充電量取得部２０４は、例えば、一の充電期間についての充電量情報として、この一の充電期間の直前の充電期間の終了時の充電量情報と、一の充電期間の終了時の充電量情報とを取得しても良く、この一の充電期間の開始時の充電量情報と、直後の充電期間の開始時の充電量情報とを取得してもよい。また、充電量取得部２０４は、例えば、一の充電期間についての充電量情報として、この一の充電期間の直前の充電期間の終了時の充電量情報と、この一の充電期間の直前の放電期間の終了時の充電量情報と、一の充電期間の終了時の充電量情報とを取得してもよく、この一の充電期間の開始時の充電量情報と、この一の充電期間の終了時の充電量情報と、この一の充電期間の直後の放電期間の終了時の充電量情報と、を取得してもよい。
【０１２６】
検出部２０２は、上記のように充電量取得部２０４を用いる場合、充電量取得部２０４が取得した一以上の充電量情報を用いて、一以上の充電期間にそれぞれ充電された電力の不足に関する情報を取得して、蓄電デバイス２３の充電不足を検出しても良い。
【０１２７】
例えば、充電量取得部２０４が、上記のように一の充電期間についての充電量情報として、この一の充電期間の直前の充電期間の終了時の充電量情報と、一の充電期間の終了時の充電量情報とを取得する場合、検出部２０２は、これらの充電量情報が示す値の比較結果を示す情報を、充電された電力の不足に関する情報として、二以上の充電期間のそれぞれについて取得し、直前の充電期間の終了時の充電量情報の値の方が大きければ、一の充電期間に充電された電力が不足していることから、直前の充電期間の終了時の充電量情報の値の方が大きい充電期間の数をカウントして、そのカウント数が、閾値以上となった場合に、蓄電デバイス２３の充電不足を検出するようにすればよい。一の充電期間についての充電量情報として、この一の充電期間の開始時の充電量情報と、直後の充電期間の開始時の充電量情報とを取得する場合においても、同様に、一の充電期間の開始時の充電量情報の値の方がその直後の充電期間の開始時の充電量情報よりも大きい充電期間数をカウントすればよい。
【０１２８】
また、例えば、充電量取得部２０４が、一の充電期間についての充電量情報として、この一の充電期間の直前の充電期間の終了時の充電量情報と、この一の充電期間の直前の放電期間の終了時の充電量情報と、一の充電期間の終了時の充電量情報とを取得する場合、検出部２０２は、一以上の充電期間について、それぞれ、充電期間の直前の充電期間の終了時の充電量情報から、この一の充電期間の直前の放電期間の終了時の充電量情報を減算した値を、直前に放電期間に放電された放電電力として取得し、一の充電期間の終了時の充電量情報から、この一の充電期間の直前の放電期間の終了時の充電量情報を減算した値を、一の充電期間に放電された充電電力として取得し、取得した放電電力と充電電力とを用いて、上述した取得部２０１が放電電力と充電電力とを取得した場合に行なう処理と同様の処理を検出部２０２が行なうことで、蓄電デバイス２３の充電不足を検出すればよい。また、例えば、充電量取得部２０４が、一の充電期間についての充電量情報として、一の充電期間の開始時の充電量情報と、この一の充電期間の終了時の充電量情報と、この一の充電期間の直後の放電期間の終了時の充電量情報と、を取得する場合も、一の充電期間の終了時の充電量情報から、この一の充電期間の開始時の充電量情報を減算して充電電力を取得し、一の充電期間の終了時の充電量情報から、この一の充電期間の直後の放電期間の終了時の充電量情報を減算して放電電力を取得するようにすればよい。
【０１２９】
出力部２０３の処理等については上記実施の形態と同様であるため、ここでは説明は省略する。
【０１３０】
このように、充電量情報を用いることで、充電時の電流および電圧の測定や、放電時の電流および電圧の測定が不要となり、処理が簡略化できる。
【０１３１】
なお、上記実施の形態においては、充電情報として充電電力を用いた場合を例に挙げて説明したが、本発明において用いられる充電情報は、実質的に、一の充電期間に充電された電力を示す情報であればよく、受電電力以外の情報を用いても良い。また、同様に、上記実施の形態においては、放電情報として放電電力を用いた場合を例に挙げて説明したが、本発明において用いられる放電情報は、実質的に、一の放電期間に放電された電力を示す情報であればよく、放電電力以外の情報を用いても良い。
【０１３２】
例えば、蓄電デバイス２３に対する充電が一定の電流で行なわれる場合等においては、充電情報として、一の充電期間に測定された充電時の電圧の積分値を用いても良い。また、充電が一定の電圧で行なわれる場合等においては、充電情報として、一の充電期間に測定された充電時の電流の積分値を用いても良い。この場合、取得部２０２は、積分に用いられる充電期間の電流または電圧を、経時的に複数回測定するようにすればよい。同様に、例えば、蓄電デバイス２３からの放電が一定の電流で行なわれる場合は、放電情報は、一の放電期間に測定された放電時の電圧の積分値であっても良い。また、放電が一定の電圧で行なわれる場合は、放電情報は、一の放電期間に測定された放電時の電流の積分値であっても良い。この場合、取得部２０２は、積分に用いられる放電期間の電流または電圧を、経時的に複数回測定するようにすればよい。また、このような場合、検出部２０２は、充電電力および放電電力の代わりに、上記のような充電時の電流または電力の積分値と、放電時の電流または電力の積分値を用いるようにしてもよい。ただし、放電情報として用いられる情報と、充電情報として用いられる情報とは、比較が可能な情報であることが好ましく、そのままで比較が可能となるよう同じ種類の情報であることがより好ましい。同じ種類の情報とは、例えば、同じ単位で表される値等である。
【０１３３】
なお、上記実施の形態において、各処理（各機能）は、単一の装置（システム）によって集中処理されることによって実現されてもよく、あるいは、複数の装置によって分散処理されることによって実現されてもよい。
【０１３４】
例えば、本実施の形態においては、ワイヤレス給電管理装置２０を、受電装置２に設けた場合について説明したが、ワイヤレス給電管理装置２０の検出部２０２および出力部２０３を、送電装置１側に設けるようにし、取得部２０１が取得した充電情報や放電情報等を、送電装置１の検出部２０２等に送信するようにしても良い。また、充電期間に受電ユニット２２が蓄電デバイス２３に出力する電流や電圧の値を測定する装置（図示せず）、放電期間に蓄電デバイス２３が給電対象３に出力する電流や電圧の値を測定する装置（図示せず）、これらの測定値を送電装置１に送信する装置（図示せず）を、受電装置２に設け、送電装置１にワイヤレス給電管理装置２０を設けて、取得部２０１が、受電装置２に設けられた測定値を送電装置１に送信する装置が送信する測定値を受付けて充電情報及び放電情報を取得するようにしてもよい。この場合の充電情報及び放電情報の取得は、例えば、測定値の受付けであっても良く、受け付けた測定値を用いて充電情報及び放電情報を算出すること等であっても良い。
【０１３５】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＭＰＵ等のプログラム実行部が読み出して実行することによって、各構成要素が実現され得る。その実行時に、プログラム実行部は、格納部（例えば、ハードディスクやメモリ等の記録媒体）にアクセスしながらプログラムを実行してもよい。
【０１３６】
本発明は、以上の実施の形態に限定されることなく、種々の変更が可能であり、それらも本発明の範囲内に包含されるものであることは言うまでもない。
【産業上の利用可能性】
【０１３７】
以上のように、本発明にかかるワイヤレス給電管理装置は、ワイヤレス給電システムに用いられるワイヤレス給電管理装置として適しており、特に、ワイヤレス給電システムの受電装置の蓄電デバイスの充電不足を検出して出力する装置等として有用である。
【符号の説明】
【０１３８】
１  送電装置
２  受電装置
３  給電対象
１０  送電ユニット
１１  送電コイルユニット
２０  ワイヤレス給電管理装置
２１  受電コイルユニット
２２  受電ユニット
２３  蓄電デバイス
５０  電源
２０１  取得部
２０２  検出部
２０３  出力部
２０４  充電量取得部
１０００  ワイヤレス給電システム
１０００  自動搬送システム
２０３１  ランプ
【図１】
2018148762.tif 000003
【図２】
2018148762.tif 000004
【図３】
2018148762.tif 000005
【図４】
2018148762.tif 000006
【図５】
2018148762.tif 000007
【図６】
2018148762.tif 000008
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
蓄電デバイスを備えており、当該蓄電デバイスに対する充電と放電とが繰り返されるワイヤレス給電システムに用いられるワイヤレス給電管理装置であって、
一以上の充電期間について、各充電期間に充電された電力の不足に関する情報を取得し、取得した情報を用いて前記蓄電デバイスの充電不足を検出する検出部と、
前記検出部の検出結果に応じた出力を行なう出力部とを備えたワイヤレス給電管理装置。
【請求項２】
充電期間と、その直前または直後の放電期間との組である一以上の充放電期間について、それぞれ、充電期間に蓄電デバイスにワイヤレス充電された電力を示す情報である充電情報と、前記蓄電デバイスから放電期間に放電された電力を示す情報である放電情報とを、取得する取得部を更に備え、
前記検出部は、前記取得部が前記一以上の充放電期間についてそれぞれ取得した充電情報と放電情報とを用いて、当該一以上の充放電期間の各充電期間に充電された電力の不足に関する情報を取得する請求項１記載のワイヤレス給電管理装置。
【請求項３】
前記充電情報は、充電期間に充電された電力である充電電力であり、前記放電情報は、放電期間に放電された電力である放電電力である請求項２記載のワイヤレス給電管理装置。
【請求項４】
一以上の充電期間について、それぞれ、前記蓄電デバイスに充電されている電力を示す情報である一以上の充電量情報を取得する充電量取得部を更に備え、
前記検出部は、前記充電量取得部が取得した一以上の充電量情報を用いて、前記一以上の充電期間にそれぞれ充電された電力の不足に関する情報を取得する請求項１記載のワイヤレス給電管理装置。
【請求項５】
前記検出部は、二以上の充放電期間について、それぞれ、放電期間に放電された電力が、充電期間に充電された電力よりも大きいか否かを判断して、その判断結果を示す情報を、前記充電期間に充電された電力の不足に関する情報として取得し、当該充電された電力の不足に関する情報を用いて、放電された電力が充電された電力よりも大きいことを示す充放電期間を検出し、放電された電力が充電された電力よりも大きいことを示す充放電期間が予め決められた閾値以上検出された場合に、前記蓄電デバイスの充電不足を検出する請求項２または請求項３記載のワイヤレス給電管理装置。
【請求項６】
前記検出部は、一以上の充放電期間について、それぞれ、充電期間に充電された電力と、放電期間に放電された電力との差を、各充電期間に充電された電力の不足に関する情報として取得し、各充放電期間について取得した当該電力の差を積算した値が、予め決められた閾値を超えた値となった場合に、前記蓄電デバイスの充電不足を検出する請求項２、請求項３または請求項５記載のワイヤレス給電管理装置。
【請求項７】
前記ワイヤレス給電システムは、前記蓄電デバイスから電力供給を受ける給電対象であって、通常の動作モードと、電力消費を抑えた省エネモードとで動作する給電対象を備えており、
前記蓄電デバイスは、前記給電対象に対して電力の供給を行ない、
前記出力部は、前記検出部の検出結果に応じた出力として、省エネモードの動作指示を出力する請求項１から請求項６いずれか一項記載のワイヤレス給電管理装置。
【請求項８】
前記ワイヤレス給電システムは、電力をワイヤレス送信する送電装置を備えており、
前記出力部は、前記検出部の検出結果に応じた出力として、前記送電装置から充電期間に供給される電流を増加させる指示を出力する請求項１から請求項７いずれか一項記載のワイヤレス給電管理装置。
【手続補正２】
【補正対象書類名】明細書
【補正対象項目名】００１９
【補正方法】変更
【補正の内容】
【００１９】
また、本発明のワイヤレス給電管理装置は、前記ワイヤレス給電管理装置において、検出部は、二以上の充放電期間について、それぞれ、放電期間に放電された電力が、充電期間に充電された電力よりも大きいか否かを判断して、その判断結果を示す情報を、充電期間に充電された電力の不足に関する情報として取得し、充電された電力の不足に関する情報を用いて、放電された電力が充電された電力よりも大きいことを示す充放電期間を検出し、放電された電力が充電された電力よりも大きいことを示す充放電期間が予め決められた閾値以上検出された場合に、蓄電デバイスの充電不足を検出するワイヤレス給電管理装置である。
【手続補正３】
【補正対象書類名】明細書
【補正対象項目名】００５７
【補正方法】変更
【補正の内容】
【００５７】
（Ｂ１）充電電力を測定により取得する場合
取得部２０１は、例えば、充電電力を測定により取得する。例えば、取得部２０１は、充電期間内に受電ユニット２２により蓄電デバイス２３に充電される電力量を測定することによって充電電力を取得してもよく、充電期間内に充電される電力を測定し、測定された一または二以上の電力を積分することで、充電電力を取得してもよく、一の充電期間において、受電ユニット２２により蓄電デバイス２３に充電される電流および電圧を測定し、電流および電圧の一以上の測定値から充電期間内に充電される一以上の電力を算出し、これを積分することで充電電力を取得しても良い。なお、これらの処理については、放電電力を測定により取得する処理と同様であるため、ここでは説明は省略する。
【手続補正４】
【補正対象書類名】明細書
【補正対象項目名】００７１
【補正方法】変更
【補正の内容】
【００７１】
検出部２０２は、例えば、一以上の充放電期間について、それぞれ、充電期間に充電された電力と、放電期間に放電された電力との差を算出し、各充電期間に充電された電力の不足に関する情報として取得する。ここでの、充電期間に充電された電力と、放電期間に放電された電力との差は、例えば、放電期間に放電された電力から充電期間に充電された電力を減算した電力の値であり、放電期間に放電された電力のほうが大きい場合、つまり充電された電力が不足している場合は、値が正となる。
【手続補正５】
【補正対象書類名】明細書
【補正対象項目名】００７２
【補正方法】変更
【補正の内容】
【００７２】
そして、検出部２０２は、一以上の充放電期間のそれぞれについて取得した充電期間に充電された電力と、放電期間に放電された電力との差を積算し、積算した値が、予め決められた閾値を超えた値となった場合に、蓄電デバイス２３の充電不足を検出する。ここでは、この閾値を積算閾値と呼ぶ。積算閾値は、誤差とは考えられない充電不足や、運用上問題が生じると判断される充電不足を検出するために設定される閾値である。充電期間に充電された電力と、放電期間に放電された電力との差が、放電期間に放電された電力から充電期間に充電された電力を減算した電力の値である場合、積算閾値は０以上の値に設定され、積算閾値を超えるということは、積算閾値よりも大きい値となることである。なお、充電期間に充電された電力と、放電期間に放電された電力との差が、充電期間に充電された電力から放電期間に放電された電力を減算した電力の値である場合、積算閾値は０以下の値に設定され、積算閾値を超えるということは、積算閾値よりも小さい値となることである。なお、検出部２０２は、放電電力が充電電力よりも高い充放電期間の放電電力と充電電力の差だけを、積算してもよく、放電電力が充電電力よりも高いか否かに関わらず（例えば、高いか否か等の判断を行なうことなく）充放電期間の放電電力と充電電力の差を積算してもよい。
【手続補正６】
【補正対象書類名】明細書
【補正対象項目名】００７４
【補正方法】変更
【補正の内容】
【００７４】
検出部２０２が、充電期間に充電された電力の不足に関する情報を取得する処理および蓄電デバイス２３の充電不足を検出する処理を行なうタイミングやトリガー等は問わない。また、取得部２０１は、検出部２０２がこのような処理を行なうまでに、処理に用いられる一以上の充放電期間についての充電情報と放電情報とを取得するようにすればよい。充放電期間についての充電情報および放電情報は、充放電期間を構成する充電期間および放電期間の充電情報および放電情報である。例えば、取得部２０１が、一の充放電期間の終了時以降に、この充放電期間について充電情報と放電情報とを取得し、この取得部２０１が取得した充電情報と放電情報とを用いて、検出部２０２が、充電期間に充電された電力の不足に関する情報を取得する処理および蓄電デバイス２３の充電不足を検出する処理を行なう。例えば、取得部２０１は、一の充放電期間の終了時または直後に、この充放電期間について充電情報と放電情報とを取得し、その直後に、検出部２０２が、充電期間に充電された電力の不足に関する情報を取得する処理等を行なうことが好ましい。
【手続補正７】
【補正対象書類名】明細書
【補正対象項目名】００９０
【補正方法】変更
【補正の内容】
【００９０】
（ステップＳ１０２）取得部２０１は、充電が開始されるか否かを判断する。充電が開始されると判断した場合、ステップＳ１０３に進み、開始されないと判断した場合、ステップＳ１０２に戻る。
【手続補正８】
【補正対象書類名】明細書
【補正対象項目名】０１１４
【補正方法】変更
【補正の内容】
【０１１４】
次に、上記の放電期間が終了すると、取得部２０１は、図示しない格納部に格納されている図４に示す充電管理表の情報を用いて、上記の一の充電期間についての充電情報である充電電力を取得する。また、取得部２０１は、図５に示す放電管理表の情報を用いて、上記の一の充電期間の直後の放電期間についての放電情報である放電電力を取得する。
【手続補正９】
【補正対象書類名】明細書
【補正対象項目名】０１１７
【補正方法】変更
【補正の内容】
【０１１７】
検出部２０２は、上記で取得した判断結果を示す情報が、一の充電期間の直後の放電期間に放電された電力の方が一の充電期間に充電された電力よりも大きいことを示す情報である場合、充電された電力が不足している充電期間数のカウント値を１インクリメントする。この充電期間数のカウント値は、充電期間を含む充放電期間のカウント数と考えてもよい。ここでの放電期間に放電された電力の方が充電期間に充電された電力よりも大きいということは、これから開始される放電期間の直前の充電期間に充電された電力が、その直後の放電期間に放電された電力に対して不足していることを示すと考えてもよい。取得した判断結果を示す情報が、放電期間に放電された電力の方が充電期間に充電された電力よりも大きいことを示す情報でない場合、カウント値を変更しない。
【手続補正１０】
【補正対象書類名】明細書
【補正対象項目名】０１２３
【補正方法】変更
【補正の内容】
【０１２３】
（変形例）
なお、上記実施の形態においては、充電情報を、取得部２０１が蓄電デバイス２３に充電される電力や電流および電圧等を測定することによって取得し、放電情報を、取得部２０１が蓄電デバイス２３から給電対象３に給電される電力や電流および電圧等を測定することによって取得する例について説明したが、本発明においては、図６に示すように、ワイヤレス給電管理装置２０が、取得部２０１の代わりに、一以上の充電量情報を取得する充電量取得部２０４を備えるようにし、検出部２０２が、この充電量情報を用いて上記実施の形態と同様に、各充電期間内に充電された電力の不足に関する情報を取得するようにしてもよい。なお、充電量取得部２０４と取得部２０１とを併用しても良い。
【手続補正１１】
【補正対象書類名】明細書
【補正対象項目名】０１２８
【補正方法】変更
【補正の内容】
【０１２８】
また、例えば、充電量取得部２０４が、一の充電期間についての充電量情報として、この一の充電期間の直前の充電期間の終了時の充電量情報と、この一の充電期間の直前の放電期間の終了時の充電量情報と、一の充電期間の終了時の充電量情報とを取得する場合、検出部２０２は、一以上の充電期間について、それぞれ、充電期間の直前の充電期間の終了時の充電量情報から、この一の充電期間の直前の放電期間の終了時の充電量情報を減算した値を、直前に放電期間に放電された放電電力として取得し、一の充電期間の終了時の充電量情報から、この一の充電期間の直前の放電期間の終了時の充電量情報を減算した値を、一の充電期間に充電された充電電力として取得し、取得した放電電力と充電電力とを用いて、上述した取得部２０１が放電電力と充電電力とを取得した場合に行なう処理と同様の処理を検出部２０２が行なうことで、蓄電デバイス２３の充電不足を検出すればよい。また、例えば、充電量取得部２０４が、一の充電期間についての充電量情報として、一の充電期間の開始時の充電量情報と、この一の充電期間の終了時の充電量情報と、この一の充電期間の直後の放電期間の終了時の充電量情報と、を取得する場合も、一の充電期間の終了時の充電量情報から、この一の充電期間の開始時の充電量情報を減算して充電電力を取得し、一の充電期間の終了時の充電量情報から、この一の充電期間の直後の放電期間の終了時の充電量情報を減算して放電電力を取得するようにすればよい。
【手続補正１２】
【補正対象書類名】明細書
【補正対象項目名】０１３１
【補正方法】変更
【補正の内容】
【０１３１】
なお、上記実施の形態においては、充電情報として充電電力を用いた場合を例に挙げて説明したが、本発明において用いられる充電情報は、実質的に、一の充電期間に充電された電力を示す情報であればよく、充電電力以外の情報を用いても良い。また、同様に、上記実施の形態においては、放電情報として放電電力を用いた場合を例に挙げて説明したが、本発明において用いられる放電情報は、実質的に、一の放電期間に放電された電力を示す情報であればよく、放電電力以外の情報を用いても良い。
【手続補正１３】
【補正対象書類名】明細書
【補正対象項目名】０１３２
【補正方法】変更
【補正の内容】
【０１３２】
例えば、蓄電デバイス２３に対する充電が一定の電流で行なわれる場合等においては、充電情報として、一の充電期間に測定された充電時の電圧の積分値を用いても良い。また、充電が一定の電圧で行なわれる場合等においては、充電情報として、一の充電期間に測定された充電時の電流の積分値を用いても良い。この場合、取得部２０１は、積分に用いられる充電期間の電流または電圧を、経時的に複数回測定するようにすればよい。同様に、例えば、蓄電デバイス２３からの放電が一定の電流で行なわれる場合は、放電情報は、一の放電期間に測定された放電時の電圧の積分値であっても良い。また、放電が一定の電圧で行なわれる場合は、放電情報は、一の放電期間に測定された放電時の電流の積分値であっても良い。この場合、取得部２０１は、積分に用いられる放電期間の電流または電圧を、経時的に複数回測定するようにすればよい。また、このような場合、検出部２０２は、充電電力および放電電力の代わりに、上記のような充電時の電流または電圧の積分値と、放電時の電流または電圧の積分値を用いるようにしてもよい。ただし、放電情報として用いられる情報と、充電情報として用いられる情報とは、比較が可能な情報であることが好ましく、そのままで比較が可能となるよう同じ種類の情報であることがより好ましい。同じ種類の情報とは、例えば、同じ単位で表される値等である。